(57)【要約】【課題】  本発明は、櫛、めがねのレンズ汚れを取る布、メモ用紙などをすぐにとりだせることができるようにするため、筆記具の入ったペンケースに一体化し、外出先でも不便にならないようにするためのペンケースである。櫛、レンズ用の布、メモ用紙は、外出先では通常、上着やズボンやかばんの中に置き、筆記具と一体化はしていない。そのためときには、持参するのを忘れたりする。筆記具と一体化すれば、あちらこちら探したりしなくてすむ。【解決手段】  筆記具のペンケースに幅広で弾性のある筒状のリングを履かせ、リングとペンケースの表側のあいだに櫛を入れたケース、ペンケースの裏側にレンズ用の布の入ったケースを滑り込ませる。メモ用紙より大きい固いシートをつけてメモ用紙は、櫛を入れたケースの上に滑り込ませる。こうすることで筆記具の入ったペンケースと櫛、布、メモ用紙が一体化できる。【選択図】図１
2013103497.tif 000002
【特許請求の範囲】
【請求項１】
物品を収納する物品ケースも物品にその物品より大きいシートを着けた物品にしたものもペンケースと一体化するのに、幅広で弾性のある筒状のリングの中にペンケースをおき、ペンケースとリングの、その間に物品ケースや、物品にその物品より大きいシートを着けた物品にしたものも差し込むことができ、物品ケースとペンケースが一体化あるいは物品ケースと物品にその物品より大きいシートを着けた物品にしたものが一体化、あるいは物品にその物品より大きいシートを着けた物品にしたものがペンケースと一体化し筆記具も日常多く使用する物品もあちらこちら探さずに筆記具と同じところから取り出せ使用できるペン以外も保持できる多機能のペンケース。
【請求項２】
物品を収納する物品ケースも物品にその物品より大きいシートを着けた物品にしたものもペンケースと一体化するのに、幅広で弾性のある筒状のリングの中にペンケースをおき、ペンケースとリングの、その間に物品ケースや、物品にその物品より大きいシートを着けた物品にしたものも差し込むことができ、物品ケースとペンケースが一体化あるいは物品ケースと物品にその物品より大きいシートを着けた物品にしたものが一体化、あるいは物品にその物品より大きいシートを着けた物品にしたものがペンケースと一体化するが、ペンケースに筒状リングが動かないように固着させ、筆記具も日常多く使用する物品もあちらこちら探さずに筆記具と同じところから取り出せ使用できるペン以外も保持できる多機能ペンケース。
【発明の詳細な説明】
【発明の詳細な説明】
【技術分野】
【０００１】  日常多く使用する機会がある物品と筆記具のペンケースとが一体化することにより、筆記具も日常多く使用する物品もペンケースの所在さえ明らかなら、ポケットやかばんなどあちらこちら探すのに手間取ることなくすぐに取り出して使用できるペン以外も保持できる多機能ペンケースに関する。
【背景技術】
【０００２】  定規にボールペンを一体化し、しおりとしても使えるようにしたものがある（特許文献１）。これはボールペンが１本しか収容できない。またホルダーとボールペンを一体化したものもある（実用文献１）。これもボールペンが１本しか収容できないうえ、ボールペンの先端がケースよりはみ出ており服が汚れ傷つく欠点がある。筆記具と一体化して有効なのは日常使用する頻度が高いものが良いが、従来そういうものがなかった。【００３】
【特許文献１】特開２００８−２６５２５９号
【実用文献１】
登録実用新案第３０７０２６７号
【発明の開示】
【発明が解決しようとする課題】
【０００４】  一般に外出先などで使用する機会の多いのは、定規やしおりより櫛やめがねのレンズ用の布、あるいはメモ用紙である。比較的薄くてペンケースより小さいか、小さくできるものをペンケースと一体化すると日常生活に便利である。髪が乱れたとき櫛が必要であるが、櫛は通常上着のポケットの中か、ズボンのポケットの中か、かばんの中かを探すことになる。すぐに取り出せるとは限らず不便を感じる。ときには、持参するのを忘れているときもありがちである。また、めがねのレンズの汚れを取り除くレンズ専用の布を使用したいとおもっても、レンズ専用の布を上着やズボンのポケットあるいはかばんの中を探すのが面倒になりティッシュペーパーで拭いたり、ハンカチで拭いたりしてレンズを傷めたりすることになる。また、とっさにメモしたいとき、人の名前や、ちょっとした思いつきなど、いちいち手帳を取り出すのは億刧であったりする。そのため、ついメモするのを忘れて、しまったと後悔したりしがちである。
筆記具とそれらの物品がセットになって一体化しておればそれらの物品をポケットや、かばんなどあちらこちらと探すことなく、筆記具の所在さえわかればすぐに取り出すことができ、筆記具はもったが櫛を忘れた、レンズ用の布やメモ用紙を忘れたなどということはなく、また、着替えたときそれらの物品がきちんとそろっているかの点検に煩わされたりして時間を浪費することが無くなる。
人によっては、櫛やめがね用布は不要のかたもいる。それらのものよりメモ用紙や住所録を筆記具と一体化するほうがいいかたもおられるので、ペンケースの表側には、メモ用紙にメモ用紙より大きな固いシートをつけた物品、裏側には、住所録に住所録より大きく固いシートをつけた物品をペンケースと一体化させておくこともできる。このようにして、筆記具と一体化させることにより、日常よく使用する諸物品を探す手間が無くなり、すぐに取り出し使用することができる。
【発明が解決しようとする手段】
【０００５】  ケースにいれた櫛、ケースいれためがねのレンズの汚れを取るレンズ専用の布、メモ用紙にメモ用紙より大きく固いシートを着けた物品などを筆記具と一緒にまとめて一体化したペンケースにするのであるが、幅広で弾性のある筒状のリングを作り、そのなかへ、ペンケースをおく。ペンケースがリングをゆるやかに履いた状態になる。
ペンケースの表側と幅広の弾性のある筒状のリングのあいだに櫛ケースを滑り込ませる。ついでめがねのレンズ用の布も折りたたんで、布用のケースにいれて、ペンケースの裏側の幅広の弾性のある筒状のリングとの間に滑り込ませる。メモ用紙にメモ用紙より大きく固いシートを着けた物品は、櫛のケースの上に滑り込ませる。こうして筆記具のペンケースと櫛のケース、レンズ用布ケース、メモ用紙にメモ用紙より大きな固い表紙をシートとして着けた物品は一体化する。
【発明の効果】
【０００６】  櫛、レンズ用布を、それぞれのケースに入れ、メモ用紙は、メモ用紙より大きい固いシートをつける。幅広で弾性のある筒状のリングのなかにペンケースと櫛のケース、レンズ用布ケース、メモ用紙にメモ用紙より大きく固いシートを着けた物品を入れ、一体化する。
櫛をケースにいれるのは、櫛が傷つかないためである。かりにケースが無く筒状リングとペンケースとの間に直に櫛を差し込むのであれば出し入れの際、櫛の歯が筒状リングに当たり傷ついたり、欠けたりすることになるので必要である。レンズ用布をケースに入れるのは、レンズ用布は軟らかく筒状リングとペンケースの間に直には入れにくく、固いケースが必要だからである。メモ用紙も用紙単独ではやわらかいので筒状リングとペンケースの間に入れにくいし、小さく扱いにくいので、メモ用紙より大きく固いシートを着けているのである。このようにしておけば櫛、レンズ用布、メモ用紙などの物品を上着やズボンのポケット、かばんなど無駄な時間をかけて探すということがなく、ペンケースの位置さえ覚えておけば迷うことなく、必要なとき、櫛、レンズ用布、メモ用紙がすぐ使用できるようになる。外出するときも、このペンケースさえもっていけばよく、櫛の点検、レンズ用布の点検、メモ用紙の点検などとこまごまと点検しなくてすむ。着替えたときも同様にこまごまと点検しなくて済むのである。また、ペンケースのなかにボールペンなどがはいっているので、胸のポケットに入れてもポケットにインクがついたりしない。ペンケースと一体化する物品はこの３品に限らずたとえば薬の錠剤やカプセル、ゼムクリップ、輪ゴム、住所録などにも応用できる。また切符類もはさむこともできる。櫛、レンズ用布などより厚い物品でも応用実施することは可能である。
【発明を実施するための最良の形態】
【０００７】  この発明に使用するペンケースは、上部からボールペンなどが差し込めるペンケースで薄くて丈夫な紙やプラスチックや金属製にするとよい。ボールペンなどのクリップがペンケースの入り口ではさむことができるからである。一体化のセットの仕方であるが、幅の広いゴムでできたリングの中にペンケースをおき、ついでペンケースの表側に櫛をいれる櫛ケース、裏側にレンズ用布を入れた布ケースを滑り込ませる。メモ用紙より大きくて固いシートを着けたメモ用紙は、櫛ケースの上に滑り込ませる。櫛のケースの上に前述の固いシートをつけたメモ用紙を滑り込ませておいても支障がないのは、櫛はケースごと取り出す必要がなく、櫛のみとりだし使用するからである。幅の広いゴムでできたリングは櫛のケース、レンズ用布のケース、固いシートをつけたメモ用紙を滑り込ませやすいようにペンケースより大きめに作っておき余裕を持たせる。櫛をいれた櫛ケースは硬いので、ペンケースに滑り込ませ差し込むのに苦労はしないが、レンズ用布は、柔らかいので、そのケースは、かたくて丈夫な紙かプラスチックで作ると取り出すときもセットのときに滑り込ますのも苦労しなくて良い。メモ用紙は、メモ用紙より大きく固いシートを着けたものとする。こうすることでペンケースから出し入れしたりするときも処理しやすい。固いシートをメモ用紙より大きくしておくのは、小さくやわらかいメモ用紙では、セットしにくいからである。
メモ用紙と住所録だけペンケースと一体化しておればよいという方もいるが、その方にも使用していただけるので、このペンケースは多くのかたがたに利用していただける。
【実施例１】
【０００８】    ペンケース１に幅の広いゴムのリング７を履かせ、ペンケースの表側に櫛を収容したケース４を差し込む。裏側には、レンズ用の布１０を収容したケース９を差し込む。ついで、メモ用紙５より大きく固いシート６をつけた物品を櫛のケースの上に差し込む。幅の広いゴムのリング７は、ペンケース１と固着させずに自由に動かすことができる。
【実施例２】
【０００９】  ペンケース１と幅の広いゴムのリング７は、ペンケース１の側面で留め金８で固着しておく。こうすることでリング７の位置を調整する必要は無いペンケース１となる。
【図面の簡単な説明】
【０００１０】
【図１】  本発明の実施例１の斜視図
【図２】  本発明の実施例２の斜視図
【図３】  レンズ用布のケースのセット前状況の斜視図
【図４】  シートをつけたメモ用紙の斜視図
【図５】  シートをつけた住所録の斜視図
【図６】  シートをつけたメモ用紙とシートをつけた住所録とペンケースに一体化したときの側面図
【符号の説明】
【００１１】  １  ペンケース
２  ボールペン
３  櫛
４  櫛のケース
５  メモ用紙
６  メモ用紙につけたシート
７  ゴムの幅広で弾性のある筒状のリング
８  留め金
９  レンズ用布のケース
１０  レンズ用布
１１  住所録
１２  住所録につけたシート
１３  ボールペンのクリップ
【図１】
2013103497.tif 000003
【図２】
2013103497.tif 000004
【図３】
2013103497.tif 000005
【図４】
2013103497.tif 000006
【図５】
2013103497.tif 000007
【図６】
2013103497.tif 000008